(57)【要約】【課題】衣類と共にハンガーが予想を上回る大きな揺れで揺動するようなことがあってもその脱落を確実に防止することができるハンガーの脱落防止装置を提供する。【解決手段】ハンガー１０のフック１１をかけるための水平な支持シャフト３の下面に、その長手方向に沿って補助バー５を設け、前記支持シャフト３の外周に、この支持シャフト３の軸回り方向に回動可能で、かつその回動により前記支持シャフト３に掛けられたハンガー１０のフック１１のネック部１１ａを前記補助バー５とで挟むことが可能な回転バー７を設け、前記ネック部１１ａを挟んだ前記回転バー７と補助バー５とを締結バンド１２で互いに締結してハンガー１０の脱落を防止する。【選択図】    図１
2004283321.tif 000002
【特許請求の範囲】
【請求項１】
ハンガーのフックをかけるための水平な支持シャフトと、この支持シャフトの下面に該支持シャフトの長手方向に沿って設けられた補助バーと、前記支持シャフトの外周に、該支持シャフトの軸回り方向に回動可能で、かつその回動により前記支持シャフトに掛けられたハンガーのフックのネック部を前記補助バーとの間に挟むことが可能な回転バーと、前記ネック部を挟んだ前記回転バーと補助バーとを互いに締結する締結具とを具備することを特徴とするハンガー脱落防止装置。
【請求項２】
前記支持シャフトは、台車式のハンガーラックに架設されていることを特徴とする請求項１に記載のハンガー脱落防止装置。
【発明の詳細な説明】
【０００１】
【発明の属する技術分野】
この発明は、衣類をハンガーに掛けたまま輸送したり搬送する際に、そのハンガーが支持シャフトから脱落しないように係止するハンガー脱落防止装置に関する。
【０００２】
【従来の技術】
衣類（スーツ類、コート類、シャツ類等）の輸送や搬送にあたっては、その衣類をハンガーに掛け、そのハンガーを例えば台車式のハンガーラックの支持シャフトに掛けて吊るし、この状態で輸送したり搬送するのが一般的となっている。
【０００３】
ハンガーラックの支持シャフトには多数のハンガーが掛けられる。そして従来、その輸送や搬送中の揺れでハンガーが支持シャフトから脱落しないように、支持シャフトに沿うように押え部材を添え付け、この押え部材を支持シャフトにバンドで締結して各ハンガーのフックを挟み付け、この挟み付けでハンガーの脱落を防止するようにしている。
【０００４】
【特許文献１】
特開平６−７０８１８号公報
【０００５】
【発明が解決しようとする課題】
しかしながら、ハンガーのフックを単に押え部材で支持シャフトに挟み付けるだけでは、ハンガーの大きな揺れには対応することが難しくなっている。
【０００６】
近年、衣類の輸出入にあたっては、ハンガーラックにハンガーを用いて多数の衣類を掛け、このハンガーラックを船舶の船倉内に搬入して固定し、この状態で目的地にまで輸送するようにしている。
【０００７】
この場合、船舶はその航行中に大きく揺れ、この揺れでハンガーを介して吊り下げられた衣類がそのハンガーと共に予想をはるかに上回る大きな角度まで揺れ動くことがある。このような予想を上回る大きな揺れが生じると、ハンガーのフックが支持シャフトおよび押し部材に対して相対的に大きくずれ動いてフックの端部が押え部材の縁部から離脱し、この離脱でハンガーがジャンプアップして支持シャフトから脱落してしまうという問題がある。このようなハンガーの脱落は、トラック等での衣類輸送時や倉庫内での衣類搬送時等においても同様に起こり得る。
【０００８】
この発明は、このような点に着目してなされたもので、その目的とするところは、衣類と共にハンガーが予想を上回る大きな揺れで揺動するようなことがあってもその脱落を確実に防止することができるハンガーの脱落防止装置を提供することにある。
【０００９】
【課題を解決するための手段】
この発明はこのような目的を達成するために、ハンガーのフックをかけるための水平な支持シャフトの下面に、その長手方向に沿って補助バーを設け、前記支持シャフトの外周に、この支持シャフトの軸回り方向に回動可能で、かつその回動により前記支持シャフトに掛けられたハンガーのフックのネック部を前記補助バーとで挟むことが可能な回転バーを設け、前記ネック部を挟んだ前記回転バーと補助バーとを締結具で互いに締結してハンガーの脱落を防止するようにしたものである。
【００１０】
前記支持シャフトは、台車式のハンガーラックに架設することが可能であり、そのハンガーラックの支持シャフトにそれぞれハンガーを介して多数の衣類を吊り下げ、ハンガーラックごと輸送したり搬送する。
【００１１】
【発明の実施の形態】
以下、この発明の実施の形態について図面を参照して説明する。
【００１２】
図１には、ハンガーラック１を示してあり、このハンガーラック１は例えば下端部に複数のキャスター２を備える台車式に構成されている。
【００１３】
ハンガーラック１の両側部間には支持シャフト３が複数本水平に架設されている。各支持シャフト３は、上下に移動して多数段のレベル位置に架け変えることができるようになっている。
【００１４】
支持シャフト３の下面には、図２示すように、複数のステー４を介して補助バー５が取り付けられている。補助バー５は、支持シャフト３と一定の距離を隔ててその支持シャフト３の長手方向とほぼ平行に取り付けられている。
また、支持シャフト３には、複数のリング６を介して回転バー７がその支持シャフト３の軸回り方向に回動可能に取り付けられている。すなわち、支持シャフト３の外周に各リング６が回転可能に装着され、これらのリング６にそれぞれステー８を介して支持シャフト３とほぼ平行に回転バー７が取り付けられ、この回転バー７が各リング６と一体に支持シャフト３の外周に沿ってその軸回り方向に回動するようになっている。
回転バー７は補助バー５とほぼ同じ長さであり、またその回転バー７と補助バー５は支持シャフト３の中心軸を中心とするほぼ同一の円周上に配置されている。そして補助バー５の両端部には、補助バー５の前後側に配置するように、例えばゴム等の弾性体からなるストッパ９ａ，９ｂがそれぞれ取り付けられている。
【００１５】
図３には、支持シャフト３にハンガー１０を掛けるときの手順を示してある。衣類の輸送や搬送にあたっては、まずハンガー１０に衣類（図示せず）を掛け、そのハンガー１０のフック１１を図３（ａ）に示すようにハンガーラック１の支持シャフト３に掛ける。
【００１６】
この際、回転バー７はハンガーラック１の後部側に回動して補助バー５の背部側に配置させておき、この状態でハンガーラック１の前部側からハンガー１０のフック１１を支持シャフト３に掛ける。
【００１７】
このようにして、衣類を掛けた多数のハンガー１０を支持シャフト３に掛け、衣類を支持シャフト３の下方に吊り下げる。次に、回転バー７を図３（ｂ）に示すようにハンガーラック１の前部側に回動操作してストッパ９ａに当接させる。これにより図３（ｃ）に示すように、回転バー７と補助バー５とが互いに隣り合って並列し、各ハンガー１０におけるフック１１のネック部１１ａがその回転バー７と補助バー５とで挟まれる。
【００１８】
この後、互いに並列した回転バー７と補助バー５とを締結具としての例えば伸縮可能な締結バンド１２を用いて締結する。この締結は、例えば互いに隣接するステー４，８間に締結バンド１２を巻き付けることにより行なう。
【００１９】
ハンガーラック１に衣類を掛け終えた後には、そのハンガーラック１を例えば輸送用の船舶内に搬入し、衣類を輸送する。
【００２０】
このようなハンガー１０の掛け構造によれば、フック１１のネック部１１ａが補助バー５と回転バー７とで挟まれ、ハンガー１０が支持シャフト３に対して常時拘束されており、このため衣類と共にハンガー１０が大きく揺れ動いても、ハンガー１０のフック１１と支持シャフト３との掛合状態を常時適正に保て、したがってハンガー１０のジャンプアップを抑えて支持シャフト３からのハンガー１０の脱落を確実に防止することができる。
【００２１】
支持シャフト３はハンガーラック１の側部に対して回転可能であっても回転不能であってもよいが、ハンガー１０の揺動時の衝撃を小さく抑える上では回転可能であることが好ましい。
ハンガー１０を支持シャフト３から取り外す際には、まず締結バンド１２を外し、次に回転バー７をハンガーラック１の後部側に回動して補助バー５の背部側のストッパ９ｂに当接させてフック１１のネック部１１ａの周囲部を開放し、この状態で支持シャフト３からハンガー１０を取り外す。
【００２２】
回転バー７を正逆の方向に回動操作したときには、その回転バー７は支持シャフト３に直接接触せずに弾性体からなるストッパ９ａ，９ｂに当接し、このためその衝撃が緩和され、大きな騒音が生じるようなことがない。そして、回転バー７が補助バー５に直接接触することがないから、その取り扱い中に回転バー７と補助バー５との間に手先を挟んでしまうような恐れがなく、安全に取り扱うことができる。
【００２３】
なお、補助バー５と回転バー７との締結は、互いに隣り合うステー４，８間に締結バンド１２を巻き付ける場合のほか、互いに隣り合う補助バー５と回転バー７との間に締結バンド１２を巻き付けて締結するような場合であってもよい。
【００２４】
また、支持シャフト３は必ずしもハンガーラックに架設する場合に限らず、例えば輸送用トラックの荷室内に架設するような場合であってもよい。
【００２５】
【発明の効果】
以上説明したようにこの発明によれば、ハンガーのネック部を補助バーと回転バーとで挟んで係止するようにしたから、衣類と共にハンガーが予想を上回る大きな揺れで揺動するようなことがあってもその脱落を確実に防止することができる。
【図面の簡単な説明】
【図１】この発明の一実施形態を示すハンガーラックの正面図。
【図２】そのハンガーラックに架設された支持シャフトの一部を拡大して示す斜視図。
【図３】支持シャフトにハンガーを掛けるときの手順を示す断面図。
【符号の説明】
１…ハンガーラック
２…キャスター
３…支持シャフト
４…ステー
５…補助バー
６…リング
７…回転バー
８…ステー
９ａ，９ｂ…ストッパ
１０…ハンガー
１１…フック
１１ａ…フックのネック部
【図１】
2004283321.tif 000003
【図２】
2004283321.tif 000004
【図３】
2004283321.tif 000005